(57)【要約】【課題】  遊技機用筐体の上面と島設備との間の隙間をなくす。【解決手段】  金属製の本体部Ｓ１および当該本体部Ｓ１の開口部に対して開閉可能に取り付けられた前面扉Ｓ２を備えた遊技機用筐体であって、本体部Ｓ１は、背面板５１に隣接して底板５０の相互に対向する２辺からそれぞれ立ち上がって設けられるとともに上端が内側に折り曲げられた折曲部５２ａ，５３ａを有する右側板５２および左側板５３と、折曲部５２ａ，５３ａの下面に接合されて右側板５２と左側板５３との間に掛け渡された第１の天板５４と、第１の天板５４の上面における２つの折曲部５２ａ，５３ａの間にはめ込まれ、設置された島設備５６より露出した部分について折曲部５２ａ，５３ａと同一平面を構成する第２の天板５５とを備えた構造とする。【選択図】        図３
2005095487.tif 000002
【特許請求の範囲】
【請求項１】
金属製の本体部および当該本体部の開口部に対して開閉可能に取り付けられた前面扉を備えた遊技機用筐体であって、
前記本体部は、
背面板に隣接して底板の相互に対向する２辺からそれぞれ立ち上がって設けられるとともに上端が内側に折り曲げられた折曲部を有する右側板および左側板と、
前記折曲部の下面に接合されて前記右側板と前記左側板との間に掛け渡された第１の天板と、
前記第１の天板の上面における２つの前記折曲部の間にはめ込まれ、少なくとも設置された島設備より露出した部分について前記折曲部と同一平面を構成する第２の天板とを備えたことを特徴とする遊技機用筐体。
【請求項２】
前記第２の天板は溶接により前記第１の天板に接合されていることを特徴とする請求項１記載の遊技機用筐体。
【請求項３】
前記遊技機用筐体はパチスロ機に用いられる筐体であることを特徴とする請求項１または２記載の遊技機用筐体。
【発明の詳細な説明】
【技術分野】
【０００１】
本発明は遊技機用筐体に関し、特にパチスロ機に用いられる筐体に適用して有効な技術に関するものである。
【背景技術】
【０００２】
たとえばパチスロ機やパチンコ機などの遊技機では、筐体内部に多数の電子部品が配置されており、マイコン制御との組み合わせにより多彩且つ奥深い遊技性を具備している。
【０００３】
そして、遊技機に不正な細工をすることで遊技コインや遊技球などの遊技媒体を搾取する行為、いわゆるゴトを防止するために、遊技機の筐体（遊技機用筐体）を構成する本体部と前面扉との接合部分を内側から金属プレートで覆い、当該部分からの侵入を阻止している。
【０００４】
さて、金属により本体部を構成すると、その上面に側板の厚み分の段差ができることがある。つまり、対向する２枚の側板の上端が内側に折り曲げられて折曲部が形成され、天板がこの折曲部の下面に接合されている場合には、本体部の上面に折曲部と天板による段差が形成されるようになるからである。
【０００５】
ここで、遊技機は、当該遊技機の遊技情報を表示する情報表示装置や遊技媒体を貸し出す媒体貸出装置などが設置された島設備に、前面扉の開閉を考慮して所定寸法（約１０ｃｍ程度）突出した状態で取り付けられる。
【０００６】
そのため、前述した段差により遊技機用筐体の上面と島設備との間に隙間が生じてしまう。
【０００７】
なお、パチスロ機などの遊技機用筐体については、たとえば特開２００１−２５５６８号公報にパーティクルボード製の筐体についての記載がある。
【特許文献１】特開２００１−２５５６８号公報
【発明の開示】
【発明が解決しようとする課題】
【０００８】
遊技機用筐体と島設備との間に隙間があると、その隙間を手掛かりにゴトをされるおそれがある。
【０００９】
また、遊技機用筐体と島設備との間に隙間があると、本体部上面においた飲みかけの飲料水を転倒したときにこれが浸入したり、冊子などの異物が入り込んでしまうおそれがある。
【００１０】
さらに、遊技機用筐体と島設備との間に隙間があるのは美観の上からも好ましいことではない。
【００１１】
そこで、本発明は、遊技機用筐体の上面と島設備との間の隙間をなくすことのできる遊技機用筐体を提供することを目的とする。
【課題を解決するための手段】
【００１２】
上記課題を解決するため、本発明に係る遊技機用筐体は、金属製の本体部および当該本体部の開口部に対して開閉可能に取り付けられた前面扉を備えた遊技機用筐体であって、前記本体部は、背面板に隣接して底板の相互に対向する２辺からそれぞれ立ち上がって設けられるとともに上端が内側に折り曲げられた折曲部を有する右側板および左側板と、前記折曲部の下面に接合されて前記右側板と前記左側板との間に掛け渡された第１の天板と、前記第１の天板の上面における２つの前記折曲部の間にはめ込まれ、少なくとも設置された島設備より露出した部分について前記折曲部と同一平面を構成する第２の天板とを備えたことことを特徴とする。
【００１３】
本発明の好ましい形態において、前記第２の天板は溶接により前記第１の天板に接合されていることを特徴とする。
【００１４】
本発明のさらに好ましい形態において、前記遊技機用筐体はパチスロ機に用いられる筐体であることを特徴とする。
【発明の効果】
【００１５】
本発明によれば以下の効果を奏することができる。
【００１６】
すなわち、本発明によれば、第１の天板の上面に設けた第２の天板が折曲部と同一平面を構成することにより本体部の上面が平坦面になっているので、遊技機用筐体と島設備との間の隙間をなくすことが可能になる。
【００１７】
これにより、遊技機用筐体と島設備との隙間を手掛かりにゴトをされるおそれや、水分や異物の侵入も防止できる。また、遊技機用筐体と島設備との間に隙間がなくなることから、美観の向上を図ることもできる。
【発明を実施するための最良の形態】
【００１８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１は本発明の一形態である遊技機としてのパチスロ機を示す斜視図、図２は図１のパチスロ機における箱内の内部を示す正面図、図３は図１のパチスロ機における遊技機用筐体の本体部を島設備とともに示す説明図、図４は図３のＡ部を拡大して示す断面図である。
【００２０】
図１に示すように、遊技機の一種であるパチスロ機１の筐体（遊技機用筐体）は、金属製の本体部Ｓ１と、この本体部Ｓ１の開口部に対して開閉可能に取り付けられた前面扉Ｓ２とからなる。なお、本形態において前面扉は樹脂製であるが、金属製など樹脂製以外とすることもできる。
【００２１】
このようなパチスロ機１は、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインが設けられている。また、表示窓５〜７の下方右側には、遊技者がメダルを入れるためのメダル投入口８が配置されている。
【００２２】
また、表示窓５〜７の左方には、上部から、４個の遊技状態表示ランプ（ビッグボーナス（以下、「ＢＢ」という。）遊技状態ランプ、レギュラーボーナス（以下、「ＲＢ」という。）遊技状態ランプ、再遊技表示ランプ、遊技停止表示ランプ）９、メダル投入枚数に応じて点灯制御される３個の賭数表示ランプ１０、クレジットされているメダル数を表示するクレジット表示部１１、および後述するスタートレバー２５の操作の受け付けが有効な時に点滅するスタートランプ１２が設けられている。
【００２３】
また、表示窓５〜７の右方には、上部から、ボーナスゲーム入賞時に残り入賞可能回数を表示するボーナスカウント表示部１３、ＢＢまたはＲＢが内部当選した場合およびこれらに入賞した場合に点灯するＷＩＮランプ１４、入賞メダル払い出し枚数を表示する配当枚数表示部１５、およびメダル投入口８にメダルの投入が可能な時に点灯するインサートランプ１６が設けられている。
【００２４】
表示窓５〜７の直ぐ下方には、遊技のデモンストレーシヨン画面やゲームに応じた演出画像が表示される液晶などの画像表示装置１７が設けられている。
【００２５】
この画像表示装置１７の左側には、画像表示装置１７に表示する情報を選択する際に使用される十字キー１８、Ａボタン１９、Ｂボタン２０、およびクレジットされているメダルからその賭け枚数を指定（１、２または３枚）する１ＢＥＴスイッチ２１、２ＢＥＴスイッチ２２、最大ＢＥＴスイッチ２３が設けられている。
【００２６】
また、画像表示装置１７の下方には、左から、クレジットされているメダルの精算に使用されるクレジットメダル精算スイッチ２４、リール２〜４を一斉に回転させるスタートレバー２５、および回転しているリール２〜４を個別に停止させる停止ボタン２６、２７、２８が設けられている。
【００２７】
また、パチスロ機１の正面下部には、メダル払出口３０から払い出されるメダルが貯留されるメダル受皿２９が設けられ、パチスロ機１の正面上部には、入賞に対して払い出されるメダルの枚数を表示する配当表示部３１が設けられている。
【００２８】
そして、停止ボタン２６〜２８とメダル受皿２９とに上下を挟まれた位置には、機種のモチーフに対応したデザインがあしらわれた半透明のプラスチック板である腰部パネル３２が取り付けられ、その下部左右には、ゲームの状況に応じた効果音を出力するスピーカ３３，３４が１つずつ配置されている。
【００２９】
図２に示すように、筐体の一方側である本体部Ｓ１内には、内部空間を上下に区画する仕切り板４０が取り付けられている。仕切り板４０に仕切られた上部空間には、メイン制御基盤４１およびリールユニット４２が上下に配置されており、右側壁には外部集中端子板４３が取り付けられている。
【００３０】
メイン制御基盤４１はマイクロコンピュータを主な構成要素とし、これに乱数サンブリングのための回路を加えて構成されており、当選、非当選を決定する内部抽選、リール２、３、４の回転および停止、メダル払い出し制御などを行う。リールユニット４２には前述したリール２、３、４やこれらを回転駆動するステッピングモータなどが格納されている。外部集中端子板４３は、ボーナスカウント表示部１３に表示されるゲーム数や配当枚数表示部１５に表示されるＢＢ中の獲得メダル枚数などの情報を出力する。
【００３１】
仕切り板４０の下側に位置する下部空間には、払い出されるメダルが収納されるホッパー４４がその略中央に設置されている。そして、ホッパー４４の右下にはホッパー４４からあふれ出したメダルが入るメダル補助収納庫４５が、下にはホッパー４４内のメダルを入賞枚数に応じてメダル払い出し口４６ａから払い出す払い出しユニット４６が、それぞれ配置されている。また、ホッパー４４の左側には、遊技不能状態からの復帰時に用いられるリセットスイッチ、ＢＢの当選確率を調整する設定スイッチなどが備えられ、メインスイッチの操作によりパチスロ機１への電源供給を行う電源ユニット４７が設置されている。
【００３２】
また、本体部Ｓ１における開口部の周囲４辺には、前面扉Ｓ２が閉じられたときにできる本体部Ｓ１と前面扉Ｓ２との接合部分を内側から覆う金属プレート４８が突設されている。この金属プレート４８は、パチスロ機に対して電気的あるいは構造的に不正な細工をすることにより遊技コインや遊技球などの遊技媒体を搾取する行為であるゴトを防止するために設けられているもので、本体部Ｓ１と前面扉Ｓ２との接合部分から細工用の治具が挿入できなくしている。
【００３３】
さらに、図２に示すように、本体部Ｓ１は、底板５６と、底板５６の１辺から立ち上がって設けられた背面板５１と、背面板５１に隣接して底板５６の相互に対向する左右の２辺からそれぞれ立ち上がって設けられた右側板５２および左側板５３と、右側板５２と左側板５３と上部に位置する２枚の天板５４，５５からなる。
【００３４】
図３および図４に示すように、右側板５２および左側板５３には、上端が内側に折り曲げられた折曲部５２ａ，５３ａが形成されており、第１の天板５４は折曲部５２ａ，５３ａの下面に接合されて右側板５２と左側板５３との間に掛け渡されている。また、第２の天板５５は、第１の天板５４の上面における折曲部５２ａおよび折曲部５３ａの間にはめ込まれ、たとえば溶接により固定されている。そして、この第２の天板５５は、折曲部５２ａ，５３ａと同一平面を構成している。なお、図３に示すように、折曲部５２ａ，５３ａと同一平面を構成する箇所は設置された島設備５６より露出した部分であればよく、島設備５６の中に隠れた部分については同一平面を構成していなくてもよい。つまり、島設備５６の中に隠れた部分には第２の天板５５はなくてもよい。
【００３５】
このように、本願によれば、第１の天板５４の上面に設けた第２の天板５５が折曲部５２ａ，５３ａと同一平面を構成することにより本体部の上面が平坦面になっているので、遊技機用筐体と島設備５６との間の隙間をなくすことができる。
【００３６】
これにより、遊技機用筐体と島設備５６との隙間を手掛かりにゴトをされるおそれや、水分や異物の侵入も防止できる。また、遊技機用筐体と島設備５６との間に隙間がなくなることから、美観の向上を図ることもできる。
【産業上の利用可能性】
【００３７】
以上の説明においては、本発明を遊技機の一つであるパチスロ機１に適用した場合が説明されているが、本発明はこれに限定されるものではなく、パチンコ機、あるいはゲームセンターに設置された各種ゲーム機など、種々の遊技機に適用することが可能である。
【図面の簡単な説明】
【００３８】
【図１】本発明の一形態である遊技機としてのパチスロ機を示す斜視図である。
【図２】図１のパチスロ機における箱内の内部を示す正面図である。
【図３】図１のパチスロ機における遊技機用筐体の本体部を島設備とともに示す説明図である。
【図４】図３のＡ部を拡大して示す断面図である。
【符号の説明】
【００３９】
１  パチスロ機（遊技機）
５０  底板
５１  背面板
５２  右側板
５２ａ  折曲部
５３  左側板
５３ａ  折曲部
５４  第１の天板
５５  第２の天板
Ｓ１  本体部
Ｓ２  前面扉
【図１】
2005095487.tif 000003
【図２】
2005095487.tif 000004
【図３】
2005095487.tif 000005
【図４】
2005095487.tif 000006